(57)【要約】    【課題】  安定した品質な撮影画像を得ることができるレンズ駆動装置を提供する。    【解決手段】  レンズ２８を備えた移動レンズ体２０と、この移動レンズ体２０をレンズ２８の光軸１１の方向に移動させる駆動機構３０と、移動レンズ体２０及び駆動機構３０を収納する固定体となるケース４０と、レンズ２８を通過した像が結像する撮像素子５０と撮像素子５０が固定された回路基礎５１とから主に構成されていて、移動レンズ体２０またはケース体４０のどちらか一方に形成された三箇所の当接面６１、６２とを備え、移動レンズ体２０はケース体４０に三箇所の当接面６１、６２に当接されて光軸１１の方向の移動範囲が規制されている。【選択図】          図１
2007025640.tif 000002
【特許請求の範囲】
【請求項１】
レンズを備えた移動レンズ体と、
前記移動レンズ体を前記レンズの光軸方向に移動させる駆動機構と、
前記移動レンズ体を前記光軸方向に移動可能に支持する固定体と、
前記移動レンズ体又は前記固定体のどちらか一方に形成された当接面と、を備え、
前記移動レンズ体は、前記当接面と当接して前記光軸方向の移動範囲が規制されていることを特徴とするレンズ駆動装置。
【請求項２】
前記移動レンズ体又は前記固定体のどちらか一方に形成された当接面は、三箇所からなることを特徴とする請求項１記載のレンズ駆動装置。
【請求項３】
前記当接面を含み、前記移動レンズ体又は前記固定体のどちらか一方に対向する面のうち、前記当接面の面積割合は、非当接面の面積割合よりも小さいことを特徴とする請求項２記載のレンズ駆動装置。
【請求項４】
前記当接面近傍には、前記移動レンズ体又は前記固定体のどちらか一方に、前記移動レンズ体を前記光軸方向へ移動することを案内する案内部が備えられていることを特徴とする請求項２又は３記載のレンズ駆動装置。
【発明の詳細な説明】
【技術分野】
【０００１】
本発明は、レンズを光軸方向に移動させ、被写体の像を結像させるレンズ駆動装置に関する。
【背景技術】
【０００２】
近年、カメラ付き携帯電話機は高機能化の一途をたどっており、例えば、カメラのレンズと近接した位置にある被写体を接写撮影するマクロ機能が付加されたものがある。接写撮影をする場合には、カメラのレンズ位置は、通常撮影時のレンズ位置よりも僅かに被写体側に近づいた位置にする必要がある。このため、この種のカメラ付き携帯電話機には、レンズを光軸方向に移動させ（変位駆動し）、被写体の像を結像させるレンズ駆動装置が組み込まれているのが一般的である（例えば特許文献１参照）。
【０００３】
図８は、従来のレンズ駆動装置１００の内部構造を示す断面斜視図である。
【０００４】
図８において、従来のレンズ駆動装置１００は、主として、レンズ１１１及び駆動マグネット１１２からなる移動レンズ体１１０と、駆動マグネット１１２の外周を囲む円筒状の駆動コイル１２１と、から構成されており、両者の間で発生する磁気力を利用して、移動レンズ体１１０を光軸方向Ｆに移動させるようにしている。なお、駆動コイル１２１と、第一スペーサ部材１２３と、第二スペーサ部材１２５と、から、移動レンズ体１１０を光軸方向Ｆに移動可能に支持する固定体１２０が構成されている。
【０００５】
通常撮影時には、移動レンズ体１１０は、駆動マグネット１１２と第二スペーサ部材１２５との磁気吸引力によって、駆動マグネット１１２の後端面１１４と第二スペーサ部材１２５の前端面１２５ａとが当接した状態で保持されるようになっている。一方で、接写撮影時には、移動レンズ体１１０は、駆動マグネット１１２と第一スペーサ部材１２３との磁気吸引力によって、駆動マグネット１１２の前端面１１３と第一スペーサ部材１２３の後端面１２３ａとが当接した状態で保持されるようになっている。
【０００６】
【特許文献１】特開２００４−１８４７７９号公報（図１）
【発明の開示】
【発明が解決しようとする課題】
【０００７】
しかしながら、上述したような状態で移動レンズ体１１０を保持する場合には、以下のような問題が生ずる。
【０００８】
まず、通常撮影時には、後端面１１４と前端面１２５ａとが、接写撮影時には、前端面１１３と後端面１２３ａとが、それぞれ面全体で当接した状態になっていることから、例えば当接面が十分に研磨されていないとガタつきが生じ易くなるという問題がある。また、ガタつきが生じた場合には、カタカタ等の衝突音が発生し、使用者がこれを耳障りに感じてしまうという問題もある。
【０００９】
さらには、移動レンズ体１１０が保持される位置を精度良く固定することができなければ、レンズ１１１と撮像素子（受光素子）との最適距離にも誤差が生じ、ひいては撮影画像が劣化するという問題もある。
【００１０】
本発明は、このような点に鑑みてなされたものであり、その目的は、通常撮影時又は接写撮影時においてガタつきが発生するのを防ぐことができ、また、安定した品質の撮影画像を得ることが可能なレンズ駆動装置を提供することにある。
【課題を解決するための手段】
【００１１】
以上のような課題を解決するために、本発明は、以下のものを提供する。
【００１２】
（１）  レンズを備えた移動レンズ体と、前記移動レンズ体を前記レンズの光軸方向に移動させる駆動機構と、前記移動レンズ体を前記光軸方向に移動可能に支持する固定体と、前記移動レンズ体又は前記固定体のどちらか一方に形成された当接面と、を備え、前記移動レンズ体は、前記当接面と当接して前記光軸方向の移動範囲が規制されていることを特徴とするレンズ駆動装置。
【００１３】
本発明によれば、レンズを備えた移動レンズ体と、この移動レンズ体をレンズの光軸方向に移動可能に支持する固定体とのいずれか一方に、移動レンズ体の移動範囲を規制する当接面を形成することとしたので、移動レンズ体と固定体とが、前端面や後端面の面全体ではなく、前端面や後端面のうちの一部の面（当接面）で当接することになる。
【００１４】
従って、当接面の平面度さえ保てば、上述したガタつきや衝突音を防ぐことができる。また、移動レンズ体が保持される位置を精度良く固定できるようにもなり（しかも、繰り返し何度も精度良く固定できる）、ひいては安定した品質の撮影画像（例えば綺麗な撮影画像など）を得ることができる。
【００１５】
ここで、「当接面」とは、移動レンズ体又は前記固定体のどちらか一方に形成されたものをいい、その数・大きさ・形状の如何は問わない。また、この「当接面」は、移動レンズ体又は固定体に、一体的に形成されていてもよいし、後付けされていてもよい。
【００１６】
（２）  前記移動レンズ体又は前記固定体のどちらか一方に形成された当接面は、三箇所からなることを特徴とする（１）記載のレンズ駆動装置。
【００１７】
本発明によれば、上述した当接面は３箇所からなることとしたので、上述したガタつきや衝突音を効率的に防ぐことができる。より詳細に説明すると、当接面が２箇所の場合には、それら２箇所を通る直線と直交する方向にぐらつく虞がある一方で、当接面が４箇所の場合には、それら４箇所のうちの対角線上の２箇所を通る方向にぐらつく虞がある。当接面を５箇所以上にすれば、数が多い分だけ手間が掛かる。このようなことから、３箇所の当接面を形成することによって、ガタつきや衝突音を効率的に防止することができる。
【００１８】
（３）  前記当接面を含み、前記移動レンズ体又は前記固定体のどちらか一方に対向する面のうち、前記当接面の面積割合は、非当接面の面積割合よりも小さいことを特徴とする（２）記載のレンズ駆動装置。
【００１９】
本発明によれば、上述した当接面の面積割合は、非当接面の面積割合よりも小さいこととしたので、移動レンズ体又は前記固定体のどちらか一方に対向する面に塵や埃などが堆積したとしても、それらが当接面に堆積する確率は低くなり、その結果、上述したガタつきや衝突音を、より確実に防ぐことができる。特に、移動レンズ体がレンズの光軸方向に移動する際に発生する空気の流れによって、塵や埃などが当接面に残存し難くなることからしても、上述したガタつきや衝突音を、より確実に防ぐことができる。
【００２０】
（４）  前記当接面近傍には、前記移動レンズ体又は前記固定体のどちらか一方に、前記移動レンズ体を前記光軸方向へ移動することを案内する案内部が備えられていることを特徴とする（２）又は（３）記載のレンズ駆動装置。
【００２１】
本発明によれば、上述した当接面近傍には、移動レンズ体をレンズの光軸方向へ移動することを案内する案内部が備えられていることとしたので、移動レンズ体と固定体とが傾いて当接するのを防ぎ、ひいてはガタつき防止や衝突音防止に寄与することができる。なお、この案内部も、前端面や後端面の面全体ではなく、前端面や後端面のうちの一部の面（当接面）近傍に備えられている。これにより、移動レンズ体が移動する際に発生し得る摩擦を低減することができる。
【発明の効果】
【００２２】
本発明によれば、移動レンズ体と固定体が当接する面を、当接面に限定することによって、ガタつきや衝突音の発生をより確実に防ぐことができる。また、移動レンズ体が保持される位置を精度良く固定でき、ひいては安定した品質の撮影画像を得ることができる。
【発明を実施するための最良の形態】
【００２３】
以下、本発明を実施するための最良の形態について、図面を参照しながら説明する。なお、本実施形態では、カメラ付き携帯電話機に組み込まれたレンズ駆動装置を想定しているが、本発明はこれに限られず、例えば、ＰＤＡ（Personal Digital Assistance）やデジタルカメラなど、他の電子機器に組み込むことも可能である。
【００２４】
［全体構成］
図１は、本発明の実施の形態に係るレンズ駆動装置１０の全体構成を示す断面図である。図２は、図１に示すレンズ駆動装置１０の分解斜視図である。
【００２５】
図１又は図２に示すように、レンズ駆動装置１０は、主として、カメラの撮影用のレンズ２８を備えた移動レンズ体２０と、移動レンズ体２０を、レンズ２８の光軸１１の方向に沿って移動させる駆動機構３０と、移動レンズ体２０及び駆動機構３０を収納するケース体４０（固定体の一部）と、レンズ２８を通過した像が結像する撮像素子５０と、撮像素子５０が固定された回路基板５１と、から構成されている。なお、ここでは、撮像素子５０はＣＭＯＳ（Complementary Metal Oxide Semiconductor）を採用している。
【００２６】
移動レンズ体２０は、レンズ２８と、レンズ２８を内部に備えて円筒形状からなるレンズ鏡筒２１とを有している。レンズ鏡筒２１は、ポリカーボネート材等の樹脂製のものであって、図１中の上側に位置する底部２２には、被写体からの反射光をレンズ２８に取り込むための円形の入射窓２２ａが形成されている。また、レンズ鏡筒２１の外周には、図１中の上側（底部２２側）に小径部２３が形成され、図１中の下側に小径部２３より径の大きい大径部２４が形成され、これらの境界には段部２５が形成されている。
【００２７】
レンズ鏡筒２１の内部に配置されたレンズ２８は、被写体側レンズ２８ａと、中間レンズ２８ｂと、カメラボディ側レンズ２８ｃと、から構成され、底部２２側からこの順で配設されている。また、位置固定部材２６ａは、カメラボディ側レンズ２８ｃを押さえ込むようにして、レンズ鏡筒２１の入り口に固定されている。また、被写体側レンズ２８ａと中間レンズ２８ｂは、絞りを兼ねたスペーサ２６ｂによって間隔が一定に保持されており、中間レンズ２８ｂとカメラボディ側レンズ２８ｃは、スペーサ２６ｃによって間隔が一定に保持されている。なお、本実施形態では、レンズ２８とレンズ鏡筒２１を別部材として構成しているが、本発明はこれに限られず、例えば、両者が同一部材で一体的に構成されていても構わない。また、レンズ鏡筒２１は、樹脂製以外の、例えば金属製のものであっても構わない。
【００２８】
レンズ鏡筒２１の外周面には、第一の磁気部材となる駆動マグネット３１が嵌合され、接着剤によって固定されている。この駆動マグネット３１は、リング状に形成されており、中央の孔を囲む部分がＮ極に着磁され、全体の外周部分がＳ極に着磁されている。もちろん、この着磁関係は、Ｎ極とＳ極が逆になるようにしてもよい。
【００２９】
ケース体４０は、第一のケース分割体４１と第二のケース分割体４２からなる２個の分割体で構成されている。なお、本実施形態では、ケース体４０は２個の分割体で構成されているが、３個以上の分割体で構成されていてもよい。また、ケース体４０の材質については、樹脂製が一般的であり、本実施形態ではポリカーボネート材を採用しているが、その他、例えば金属製であってもよい。
【００３０】
第一のケース分割体４１は、図１中の下側に配設され、第二のケース分割体４２は、図１中の上側（底部２２側）に配設されている。第一のケース分割体４１は、ほぼ筒形状に形成されており、光軸１１の方向に突出した外筒部４１ａと、この外筒部４１ａの内側に、レンズ鏡筒２１を収納する円筒状の内筒部４１ｂと、を有している。また、外筒部４１ａと内筒部４１ｂとは、連結部４１ｃによって連結されており、外筒部４１ａ，内筒部４１ｂ及び連結部４１ｃによって、Ｕ溝４１ｄが形成されている。なお、本実施形態では、Ｕ溝４１ｄは断面Ｕ字状に形成しているが、勿論これ以外の形状であっても構わない。
【００３１】
内筒部４１ｂの下側内周面には、内側に向かって突出した第一規制部４１ｅが、円周方向にほぼ等間隔に三箇所形成されている。この第一規制部４１ｅによって、移動レンズ体２０の光軸方向１１の移動範囲が規制される。また、外筒部４１ａには、第一駆動コイル３２に給電する給電部材を外部へ引き出す切り欠き４１ｆが形成されている（図２参照）。
【００３２】
なお、本実施形態では特に図示していないが、レンズ鏡筒２１と第一のケース分割体４１には、レンズ鏡筒２１が光軸１１の方向に移動する際にレンズ鏡筒２１の回動を阻止する回動阻止機構が形成されている。具体的には、レンズ鏡筒２１の外周面に凸部が形成され、第一のケース分割体４１の内周面には、この凸部に対向する位置に凹部が形成されている。
【００３３】
第二のケース分割体４２は、第一のケース分割体４１と同様に、ほぼ正方形の形状をした筒状に形成されている。第二のケース分割体４２は、図１に示すように上側（底部２２側）に開口４２ｇが形成されており、光軸１１の方向に突出した外筒部４２ａと、外筒部４２ａの内側にレンズ鏡筒２１を収納する円筒状の内筒部４２ｂと、を有している。
【００３４】
外筒部４２ａと内筒部４２ｂとは、連結部４２ｃによって連結されており、外筒部４２ａ，内筒部４２ｂ及び連結部４２ｃによって、断面Ｕ字状のＵ溝４２ｄがリング状に形成されている。
【００３５】
内筒部４２ｂの内壁面は、レンズ鏡筒２１の上端側の外壁面２１ｃに当接しながら摺動する案内部４２ｉが形成されており、レンズ鏡筒２１が光軸１１の方向に移動する際の案内役を果たしている。外筒部４２ａには、第二駆動コイル３３に給電する給電部材を外部に引き出す切り欠き４２ｆが形成されている（図２参照）。
【００３６】
内筒部４２ｂには、内側に向かって突出した突出縁４２ｈが形成されており、この突出縁４２ｈは、図１に示す移動レンズ体２０の位置（通常撮影位置）から、レンズ鏡筒２１が上方に移動した際の位置（接写撮影位置）までの間において、移動レンズ体２０の光軸方向１１の移動範囲を規制する第二規制部としての機能を有している。
【００３７】
第一のケース分割体４１及び第二のケース分割体４２のそれぞれに形成されたＵ溝４１ｄ及びＵ溝４２ｄの底には、それぞれ第一磁性体３４及び第二磁性体３５が固定されている。第一磁性体３４及び第二磁性体３５の内側には、それぞれ内筒部４１ｂ及び内筒部４２ｂの内壁に当接するようにして、それぞれ第二の磁気部材としての第一駆動コイル３２及び第二駆動コイル３３が固定されている。すなわち、第一駆動コイル３２及び第二駆動コイル３３は、それぞれ上述したＵ溝４１ｄ及びＵ溝４２ｄ内に収納されている。
【００３８】
第一駆動コイル３２と第二駆動コイル３３とは、光軸１１の方向に駆動マグネット３１を挟んで対向しており、第一駆動コイル３２の光軸１１の方向の外側に、第一磁性体３４が配設されるとともに、第二駆動コイル３３の光軸１１の方向の外側に、第二磁性体３５が配設される構造となっている。すなわち、移動レンズ体２０は、駆動マグネット３１が第一駆動コイル３２と第二駆動コイル３３の間に挟まれるようにして、ケース体４０（第一のケース分割体４１及び第二のケース分割体４２）に収納されている。
【００３９】
第一駆動コイル３２と第二駆動コイル３３の対向面間距離は、駆動マグネット３１のうち光軸１１の方向の厚さよりも大きく、駆動マグネット３１と、第一駆動コイル３２又は第二駆動コイル３３との間には、光軸１１の方向の間隙が生じている。そのため、この間隙の範囲内で駆動マグネット３１が移動でき、駆動マグネット３１と一体のレンズ鏡筒２１も、この間隙分だけ光軸１１の方向に移動することができるようになっている。
【００４０】
そして、第一駆動コイル３２及び第二駆動コイル３３のいずれか一方又は双方が通電されることによって、上述した間隙の範囲内で、駆動マグネット３１が光軸１１の方向に移動し、これに伴って、レンズ鏡筒２１が、第二のケース分割体４２の案内部４２ｉを摺動し、光軸１１の方向に移動するようになっている。
【００４１】
なお、本実施形態では、第一の磁気部材としての駆動マグネット３１と、第二の磁気部材として第一駆動コイル３２及び第二駆動コイル３３と、第一磁性体３４及び第二磁性体３５とから、駆動機構３０が構成されている。
【００４２】
駆動マグネット３１から出た磁束は、第一駆動コイル３２や第一磁性体３４を通過し、最終的には駆動マグネット３１に戻る。同様に、駆動マグネット３１からの磁束は、第二駆動コイル３３や第二磁性体３５を通過し、最終的には駆動マグネット３１に戻る。従って、駆動マグネット３１によって形成される磁界中に、第一駆動コイル３２及び第二駆動コイル３３が位置しており、これらの部材によって、磁気回路が構成されている。
【００４３】
第一磁性体３４及び第二磁性体３５は、上述したとおり、それぞれ第一駆動コイル３２及び第二駆動コイル３３の光軸１１の方向の外側にそれぞれ配置され、通電時におけるバックヨークとしての機能の他に、駆動マグネット３１との磁気吸引によりレンズ鏡筒２１の位置を保持する機能を有している。具体的に説明すると、図１に示す移動レンズ体２０の位置（通常撮影位置）では、第一駆動コイル３２及び第二駆動コイル３３に通電しなくても、駆動マグネット３１と第一磁性体３４との間に生じる磁気吸引力によって、レンズ鏡筒２１を位置保持することができるようになっている。一方で、レンズ鏡筒２１が上方に移動した際の位置（接写撮影位置）でも同様に、第一駆動コイル３２及び第二駆動コイル３３に通電しなくても、駆動マグネット３１と第二磁性体３５との間に生じる磁気吸引力によって、レンズ鏡筒２１を位置保持することができるようになっている。
【００４４】
図１中の第一のケース分割体４１の光軸１１に沿った下側には、フィルタ５２と、撮像素子５０及び回路基板５１等を収納する後端部材５３と、この後端部材５３と隣接する撮像素子ケース５４と、が配置されている。フィルタ５２は、撮像素子５０の検出波長に対応させて、所定の波長の光をカットする機能を有する。撮像素子５０は、ＣＭＯＳ（Complementary Metal Oxide Semiconductor）で構成されており、その検知信号を回路基板５１へ送る機能を有する。検知信号に基づく画像信号は、回路基板５１を介して、図示しない制御部（例えばマイクロコンピュータなど）へ送られる。なお、撮像素子５０としては、ＣＭＯＳ以外にＣＣＤやＶＭＩＳ等を採用することができる。また、撮像素子５０等は、矩形状となっており、それに伴って、これを収納する撮像素子ケース５７も矩形状となっているところ、第一のケース分割体４１及び第二のケース分割体４２を矩形状とすることによって、移動レンズ体２０と撮像素子５０との位置合わせを容易に行うことができる。また、第一のケース分割体４１及び第二のケース分割体４２は、略角柱状に形成されており、カメラ付携帯電話機に取り付ける際には、位置決めを簡単に行うことができる。
【００４５】
次に、ケース体４０に形成された当接面６１について、図３及び図４を用いて詳述する。
【００４６】
［当接面の構成］
図３は、第一のケース分割体４１の平面図である。
【００４７】
図３において、第一のケース分割体４１には、三個の第一規制部４１ｅが形成されており、各々の第一規制部４１ｅには、レンズ鏡筒２１の下端面２１ｂ（図１参照）と当接する当接面６１が形成されている。この当接面６１は、第一規制部４１ｅから光軸１１の方向に突出するように形成されている（図２参照）。なお、上述した移動レンズ体２０の通常撮影位置は、三箇所の第一規制部４１ｅに形成された当接面６１が、レンズ鏡筒２１の下端面２１ｂと当接した状態での位置となる。
【００４８】
ここで、下端面２１ｂと当接する当接面６１の形状は、頂点が尖った錐状ではなく、所定の広さをもつ平面で形成されている。仮に、頂点が尖っている場合（面積が小さすぎる場合）には、レンズ鏡筒２１の下端面２１ｂと衝突した際に磨耗し、光軸１１の方向において当接する位置が変化してしまう。そこで、当接面６１の面積は、レンズ鏡筒２１の下端面２１ｂと、衝突により磨耗しない程度の強度を保つ大きさ（面積）により形成されている。
【００４９】
第一規制部４１ｅには、当接面６１以外の部分がレンズ鏡筒２１の下端面２１ｂと当接しないように、隙間Ｓ１が形成されている（図１参照）。また、三箇所の当接面６１の全面積は、これ以外の部分の面積（隙間Ｓ１を構成する面の面積）よりも小さくなっている。すなわち、当接面６１を含み、下端面２１ｂと対向する面のうち、当接面６１の面積割合は、非当接面の面積割合よりも小さくなっている。なお、当接面６１の面積を大きくしすぎると、衝突音が大きくなるので、この点も考慮して、衝突音がある程度小さくなるように、当接面６１の面積割合を設計している。
【００５０】
レンズ鏡筒２１の下端面２１ｂが、第一規制部４１ｅに形成された三箇所の当接面６１に当接した状態における移動レンズ体２０の位置（通常撮影位置）では、第一駆動コイル３２と駆動マグネット３１とが衝突しない状態となっている。これにより、第一駆動コイル３２と駆動マグネット３１の損傷を防止するようにしている。
【００５１】
なお、本実施形態では、当接面６１の強度を確保するために、第一規制部４１ｅの長さを、当接面６１が形成されている長さよりも周方向に長くしているが、本発明はこれに限られず、例えば、強度を保てる長さ・形状であれば、当接面６１と同じ長さ・同じ形状で、第一規制部４１ｅを形成することとしても構わない。
【００５２】
また、本実施形態において、当接面６１は平面で形成されているが、平面に限定する趣旨ではなく、曲面であっても構わない。さらに、当接面６１は、三箇所とも、面積・形状が同じになっているが、本発明は、これに限定されるものではない。
【００５３】
図４は、第二のケース分割体４２の平面図である。なお、図４に示す第二のケース分割体４２は、図１及び図２中の下側から見たときの様子を示している。
【００５４】
図４において、第二のケース分割体４２において、円環状の突出縁からなる第二規制部４２ｈには、光軸１１の方向に突出するように、当接面６２がほぼ等間隔で三箇所に形成されている。なお、上述した移動レンズ体２０の接写撮影位置は、レンズ鏡筒２１の上端面２１ａ（図１参照）が、第二規制部４２ｈに形成された三箇所の当接面６２に当接した状態での位置となっている。
【００５５】
三箇所の当接面６２は、上述した第一のケース分割体４１に形成された三箇所の当接面６１と同じように設計されており、詳細な説明については省略する。また、第二規制部４２ｈには、当接面６２以外の部分が、レンズ鏡筒２１の上端面２１ａと当接しないように、隙間Ｓ２が形成されている（図１参照）。また、三箇所の当接面６１の全面積は、これ以外の部分の面積（隙間Ｓ２を構成する面の面積）よりも小さくなっている。
【００５６】
レンズ鏡筒２１の上端面２１ａが、第二規制部４２ｈに形成された三箇所の当接面６２に当接した状態における移動レンズ体２０の位置（接写撮影位置）では、第二駆動コイル３３と駆動マグネット３１とが衝突しない状態となっている。これにより、第二駆動コイル３３と駆動マグネット３１の損傷を防止するようにしている。
【００５７】
次に、図１〜図４を用いて説明したレンズ駆動装置１０の動作について、以下に詳述する。
【００５８】
［レンズ駆動装置の動作］
移動レンズ体２０が、図１に示す通常撮影位置にある状態において、所定の切換スイッチ（図示せず）が操作されると、第一駆動コイル３２及び第二駆動コイル３３に所定の向きの電流が流れ、この電流と駆動マグネット３１による磁界に基づいて、駆動マグネット３１を前方に押し出す向きの電磁力が発生する。そして、この電磁力により、駆動マグネット３１と共にレンズ鏡筒２１が前方（底部２２側）に移動する。
【００５９】
なお、レンズ鏡筒２１の移動量は、上述したように、駆動マグネット３１と第一駆動コイル３２及び第二駆動コイル３３との間に生じる隙間の範囲内である。また、フレミングの左手の法則は、磁界中に線電流が流れているときに、その線電流を流している物体に働く力の関係を示すものであるが、本実施形態では、第一駆動コイル３２及び第二駆動コイル３３が共に固定されているため、上述した法則の反作用として、駆動マグネット３１に力が働くことになる。
【００６０】
移動レンズ体２０が前方に移動し、レンズ鏡筒２１が、第二のケース分割体４２の第二規制部４２ｈに形成されている三箇所の当接面６２に衝突すると、移動レンズ体の移動が停止する。すなわち、これより前方への移動が阻止される。このとき、移動レンズ体２０は、接写撮影位置にある状態となる。
【００６１】
移動レンズ体２０が接写撮影位置にある状態において、レンズ２８は、第一駆動コイル３２及び第二駆動コイル３３に通電されていなくても、駆動マグネット３１と第二磁性体３５との間に生じる磁気吸引力によって保持されることになる。このように、接写撮影位置において、レンズ鏡筒２１の上端面２１ａは、三箇所の当接面６２に当接されるようになっており、繰り返し何度でも精度良く固定することができるようになっている。なお、第二駆動コイル３３と駆動マグネット３１との間には、わずかな隙間を発生させている。これにより、第二駆動コイル３３と駆動マグネット３１とが衝突し、それらが損傷することを防止することができる。また、ここでは、第一駆動コイル３２及び第二駆動コイル３３の両方同時に通電することとしたが、例えばいずれか一方だけを通電することとしてもよい。
【００６２】
次に、移動レンズ体２０を、接写撮影位置から通常撮影位置に切り換えるには、切り換えスイッチを通常撮影位置の方へ切り換えればよい。これにより、第一駆動コイル３２及び第二駆動コイル３３に、上述の電流とは逆向きの電流が流れ、
駆動マグネット３１を後方（図１の下側）に引き戻す向きの電磁力が働く。その結果、駆動マグネット３１と共に、移動レンズ体２０が後方に移動する。
【００６３】
後方に移動したレンズ鏡筒２１の下端面２１ｂは、第一のケース分割体４１の第一規制部４１ｅに形成されている三箇所の当接面６１と衝突することで、後方への移動が阻止される。このとき、このとき、移動レンズ体２０は、通常撮影位置にある状態となる。
【００６４】
移動レンズ体２０が通常撮影位置にある状態において、レンズ２８は、第一駆動コイル３２及び第二駆動コイル３３に通電されていなくても、駆動マグネット３１と第一磁性体３４との間に生じる磁気吸引力によって保持されることになる。このように、通常撮影位置において、レンズ鏡筒２１の下端面２１ｂは、三箇所の当接面６１に当接されるようになっており、繰り返し何度でも精度良く固定することができるようになっている。なお、第一駆動コイル３２と駆動マグネット３１との間には、わずかな隙間を発生させている。これにより、第一駆動コイル３２と駆動マグネット３１とが衝突し、それらが損傷することを防止することができる。また、ここでは、第一駆動コイル３２及び第二駆動コイル３３の両方同時に通電することとしたが、例えばいずれか一方だけを通電することとしてもよい。
【００６５】
［本実施の形態の効果］
以上説明したように、本実施形態に係るレンズ駆動装置１０は、第一のケース分割体４１に形成された三箇所の当接面６１と、第二のケース分割体４２に形成された三箇所の当接面６２と、を備えており、移動レンズ体２０は、当接面６１又は当接面６２によって、光軸１１の方向への移動範囲が規制されている。従って、当接面６１及び当接面６２の平面度さえ保てば、ガタつきや衝突音を防ぐことができる。また、移動レンズ体２０が保持される位置を精度良く固定できるようにもなり、ひいては安定した品質の撮影画像を得ることができる。
【００６６】
また、第一のケース分割体４１に形成された三箇所の当接面６１の全面積の割合は、三箇所の当接面６１以外の面積の割合よりも小さくなっている。同様に、第二のケース分割体４２に形成された三箇所の当接面６２の全面積の割合は、三箇所の当接面６２以外の面積の割合よりも小さくなっている。これにより、たとえ塵や埃等が堆積したとしても、当接面６１や当接面６２に堆積する確率は低くなり、ひいては塵や埃等の堆積に起因して、ガタつきが発生するのを防ぐことができる。
【００６７】
また、仮に、塵や埃等が堆積したとしても、三箇所の当接面６１や当接面６２が当接する面積の割合は小さいので、それによる悪影響を小さく抑えることができる。また、堆積した塵や埃等は、移動レンズ体２０を移動させた際に、移動により発生した空気の流れによって流され、当接面６１又は当接面６２に残存することが少なくなるので、結果として、当接面６１や当接面６２に堆積する確率を低くすることができる。
【００６８】
第二のケース分割体４２に形成された三箇所の当接面６１近傍には、レンズ鏡筒２１の上端側の外壁面２１ｃに当接しながら摺動する案内部４２ｉが設けられており、レンズ鏡筒２１が光軸１１の方向に移動する際の案内役を果たしている。これにより、ガタつきをより抑えることができ、ひいてはガタつきによる衝撃音の発生を防止することができる。
【００６９】
三箇所の当接面６１又は当接面６２の各当接面は、移動レンズ体２０が繰り返し移動して衝突した場合であっても、磨耗の生じない程度の面積からなっていることから、磨耗粉の発生を抑制することができる。従って、光軸１１の方向における位置精度のずれを防ぐことができ、ひいては、安定した品質の撮影画像を得ることができる。
【００７０】
［変形例］
図５は、本発明の他の実施の形態に係るレンズ駆動装置におけるレンズ鏡筒７１の外観構成を示す斜視図である。なお、図１に示すレンズ鏡筒２１と同じ構成については、同じ符号を付記している。
【００７１】
図５に示すように、レンズ鏡筒７１には、接写撮影位置で当接する当接面６３が、上端面２１ａから突出するようにほぼ等間隔に三箇所形成されている。これらの当接面６３は、上述した当接面６１や当接面６２と同じように、衝突しても磨耗しない程度の強度をもつように設計されている。また、当接面６３と同様に、通常撮影位置で当接する当接面６４が、下端面２１ｂに突出するようにほぼ等間隔に三箇所形成されている。これらの当接面６４は、上述した当接面６１や当接面６２と同じように、衝突しても磨耗しない程度の強度をもつように設計されている。
【００７２】
また、レンズ鏡筒７１においては、三箇所の当接面６３と周方向において同じ位置であって、外壁面２１ｃから突出した案内部７２ｉが三箇所設けられている。すなわち、これらの案内部７２ｉが、第二のケース分割体４２の内筒部４２ｂの内面を摺動し、レンズ鏡筒７１が光軸の方向に移動する際の案内役を果たしている。加えて、案内部７２ｉは、全周ではなく三箇所だけに形成されているので、レンズ鏡筒７１が光軸１１の方向に移動する際の摺動面積が少なくなり、摺動に起因した摩擦を低減することができる。
【００７３】
このように、図１〜図４に示すレンズ駆動装置１０では、三箇所の当接面６１，６２をケース体４０側に形成したが、図５に示すように、移動レンズ体２０側に形成するようにしてもよい。また、通常撮影位置で当接する当接面と、接写撮影位置で当接する当接面とを、共にケース体４０側又は移動レンズ体２０側に設けてもよいし、どちらか一方の当接面をケース体４０側に、他方の当接面を移動レンズ体２０側に設けてもよい
【００７４】
また、図１〜図５では、第一駆動コイル３２及び第二駆動コイル３３と、駆動マグネット３１とを用いて、移動レンズ体２０を駆動するタイプのレンズ駆動装置に本発明を適用したが、本発明はこれに限定されず、例えば、ステッピングモータ等を用いて移動レンズ体２０を駆動するタイプのレンズ駆動装置に本発明を適用してもよい。
【００７５】
図６は、本発明の他の実施の形態に係るレンズ駆動装置１０Ａの機械構成を示す断面図である。より具体的には、図６（ａ）は、レンズ駆動装置１０Ａをレンズの光軸１１の方向に切断したときの断面図であって、図６（ｂ）は、図６（ａ）の断面図で示されるレンズ駆動装置１０Ａにおいて、Ａ−Ａ'の一点鎖線で切断したときの平面断面図である。なお、図６（ａ）において、説明の便宜上、上を被写体に近い前側とし、下をカメラボディに近い後ろ側とする。
【００７６】
図６において、レンズ駆動装置１０Ａは、固定体の一部に相当する第二のケース分割体８２と、移動レンズ体の一部に相当するレンズ鏡筒２１とから主に構成されている。レンズ鏡筒２１の内部には、光軸１１がその中心に位置することになる略円筒形状の鏡筒（図６では図示せず。図１参照）が取り付けられ、その鏡筒の内部には複数枚のレンズ（例えば、図１にて示す、被写体側レンズ２８ａ、中間レンズ２８ｂ、カメラボディ側レンズ２８ｃ等）が組み合わされて構成されている。
【００７７】
第二のケース分割体８２と第一のケース分割体８１は、嵌め込み可能であって、これらによって円筒状のヨーク８６が固定されている。そして、このヨーク８６の内周面には、リング状に形成された駆動マグネット３１が固着されている。
【００７８】
レンズ鏡筒２１の外周には、駆動マグネット３１よりも前側に、この駆動マグネット３１に対向するように第二駆動コイル３３が配置されており、この第二駆動コイル３３との関係で光軸１１の方向に駆動マグネット３１が介在するように、第一駆動コイル３２が配置されている。なお、レンズ鏡筒２１に固着された第二駆動コイル３３及び第一駆動コイル３２は、ヨーク８６に対して光軸１１の方向に相対移動が可能となっている。
【００７９】
駆動マグネット３１のＮ極から出た磁束は、例えば、レンズ鏡筒２１，第一駆動コイル３２（または第二駆動コイル３３），ヨーク８６を通過して、再び駆動マグネット３１に戻ってくる。従って、第一駆動コイル３２，第二駆動コイル３３，ヨーク８６，レンズ鏡筒２１といった部材によって、磁気回路（磁路）が形成されることになる。この場合、レンズ鏡筒２１の材料としては、磁性材料を用いることが好ましい。
【００８０】
第二のケース分割体８２の前側の中央には、被写体からの反射光をレンズ２８に取り込むための円形の入射窓２２ａが設けられている。
【００８１】
レンズ駆動装置１０Ａには、レンズ鏡筒２１の移動を規制する板バネ８３及び板バネ８３'が設けられている。このうち板バネ８３'について、図６（ｂ）を用いて詳細に説明する。図６（ｂ）において、第一のケース分割体８１に取り付けられた板バネ８３'は、第一のケース分割体８１に形成された回転防止溝８９と係合している。これにより、板バネ８３'が回転するのを防いでいる。
【００８２】
板バネ８３'は、電流を流す金属製のバネであって、最も内側の円周部分８３'ａに、レンズ鏡筒２１の下端面が載置されるようになっている。一方、第一のケース分割体８１には、板バネ８３'の後側（一部）と当接する三箇所の当接面６５が形成されている。なお、図６（ｂ）では、板バネ８３'の円周部分８３'ａにおいて、図中の奥に当接面６５が存在する位置を、黒く塗り潰している。
【００８３】
この当接面６５は、板バネ８３'と当接することで、実質的にレンズ鏡筒２１の移動範囲を規制しており、レンズ鏡筒２１が通常撮影位置にある場合、板バネ８３'の円周部分８３'ａと三箇所の当接面６５とが当接するようになっている。
【００８４】
また、第二のケース分割体８２についても第一のケース分割体８１と同様に、当接面（図示せず）が形成されており、接写撮影位置において、板バネ８３と三箇所の当接面（図示せず）とが当接するようになっている。このため、移動レンズ体２０の位置精度の繰り返し性が良くなる。
【００８５】
また、円周部分８３'ａには、第一駆動コイル３２を通電するための端子８３'ｂが３箇所形成されており（図６（ｂ）参照）、端子８３'ｂを通じて第二駆動コイル３３に電流を供給することができ、その端子を通じて第一駆動コイル３２に電流を流すことができる。これにより、板バネ８３及び板バネ８３'を、第一駆動コイル３２及び第二駆動コイル３３の通電用配線として機能させることができる。
【００８６】
次に、レンズ駆動装置１０Ａの組み立て方法について説明する。図７は、図６に示すレンズ駆動装置１０Ａの分解斜視図である。
【００８７】
図７において、まず、板バネ８３'を、第一のケース分割体８１に形成された回転防止溝８９と係合するように、第一のケース分割体８１に取り付ける。次に、駆動マグネット３１及びヨーク８６を２個に分割し、レンズ鏡筒２１の外周に固着された第一駆動コイル３２と第二駆動コイル３３との間に駆動マグネット３１が介在するようにして、駆動マグネット３１及びヨーク８６を再び一体化（固着）させる。そして、レンズ鏡筒２１が内部に組み込まれたヨーク８６を、第一のケース分割体８１に固定する。このとき、レンズ鏡筒２１の後端面は、板バネ８３'の最も内側の円周部分８３'ａに載置される。最後に、板バネ８３を、その最も内側の円周部分がレンズ鏡筒２１の前端面に当接するように載置した後、第二のケース分割体８２を第一のケース分割体８１と係合させる。その結果、レンズ鏡筒２１が通常撮影位置にあるときには、板バネ８３'は、レンズ鏡筒２１の下端面と当接面６５とで挟まれることになり、レンズ鏡筒２１が接写撮影位置にあるときには、板バネ８３は、レンズ鏡筒２１の前端面と当接面とで挟まれることになる。このようにして、図６（ａ）に示すレンズ駆動装置１０Ａを組み立てることができる。なお、組立て後、レンズ鏡筒２１にはレンズ２８がねじ結合される。また、板バネ８３'は、当接面６５と当接する部分を切り欠いてもよい。この場合、当接面はレンズ鏡筒２１の下端面と当接するようになる。
【００８８】
このように、固定体の一部に相当する第一のケース分割体８１、および第二のケース分割体８２に、三箇所の当接面を設けることによって、レンズ鏡筒２１が光軸１１の方向に移動する際のガタつきによる衝撃音を抑え、位置精度の繰り返し性も向上させることができる。
【産業上の利用可能性】
【００８９】
本発明に係るレンズ駆動装置は、移動レンズ体が移動する際のガタつきによる衝撃音の発生を防止し、所望の位置に停止させる際の位置精度のばらつきを低減することができるものとして有用である。
【図面の簡単な説明】
【００９０】
【図１】本発明の実施の形態に係るレンズ駆動装置の全体構成を示す断面図である。
【図２】図１に示すレンズ駆動装置の分解斜視図である。
【図３】第一のケース分割体の平面図である。
【図４】第二のケース分割体の平面図である。
【図５】本発明の他の実施の形態に係るレンズ駆動装置におけるレンズ鏡筒の外観構成を示す斜視図である。
【図６】本発明の他の実施の形態に係るレンズ駆動装置の機械構成を示す断面図である。
【図７】図６に示すレンズ駆動装置の分解斜視図である。
【図８】従来のレンズ駆動装置を示す斜視図である。
【符号の説明】
【００９１】
１０，１０Ａ  レンズ駆動装置
１１  光軸
２０  移動レンズ体
２１  レンズ鏡筒
２８  レンズ
３０  駆動機構
３１  駆動マグネット
３２  第一駆動コイル
３３  第二駆動コイル
３４  第一磁性体
３５  第二磁性体
４０  ケース体
４１，８１  第一のケース分割体
４２，８２  第二のケース分割体
４２ｉ  案内部
６１，６２，６３，６４，６５  当接面
８３，８３'  板バネ
【図１】
2007025640.tif 000003
【図２】
2007025640.tif 000004
【図３】
2007025640.tif 000005
【図４】
2007025640.tif 000006
【図５】
2007025640.tif 000007
【図６】
2007025640.tif 000008
【図７】
2007025640.tif 000009
【図８】
2007025640.tif 000010